(57)【要約】【課題】屋根材、特に板状の屋根材に効果的かつ低コストの補修材及び縁切り材を提供する。【解決手段】本発明は、上記課題を解決するために、屋根に積層固定された板状の屋根材のひび割れ箇所の下部に挿入される金属板の本体と、前記本体の挿入端部に連設され底面側に折り返されたバネ部と、前記本体の反挿入端部に連設され上方に折り返され上屋根材の下端部に引っ掛り挿入位置の位置決めをするストッパーと、からなることを特徴とする屋根材のバネ式補修材の構成とした。【選択図】図３
2015132064.tif 000002
【特許請求の範囲】
【請求項１】
金属板を折り曲げてなり、屋根に積層固定された板状の屋根材のひび割れ箇所の下部に挿入され上下にバネ付勢を発揮する挿入部を備えることを特徴とする屋根材のバネ式補修材。
【請求項２】
前記挿入部の反挿入端部に立設し、上屋根材の下端部に引っ掛り挿入位置の位置決めをするストッパーを備えることを特徴とする請求項１に記載の屋根材のバネ式補修材。
【請求項３】
屋根に積層固定された板状の屋根材のひび割れ箇所の下部に挿入される金属板の本体と、
前記本体の挿入端部に連設され底面側に折り返されたバネ部と、
前記本体の反挿入端部に連設され上方に折り返され上屋根材の下端部に引っ掛り挿入位置の位置決めをするストッパーと、
からなることを特徴とする屋根材のバネ式補修材。
【請求項４】
前記バネ部の先端部が、底面視で中心部が凸の三角形状であることを特徴とする請求項３に記載の屋根材のバネ式補修材。
【請求項５】
前記バネ部の折り曲げ前に、折り曲げ位置に三角形の切れ込みを穿設し、前記バネ部を折り曲げることで、前記本体に平面視三角形状の挿入端部を備えることを特徴とする請求項４に記載の屋根材のバネ式補修材。
【請求項６】
前記バネ部を、
前記本体の左右に連設された帯状の左右バネ部としたことを特徴とする請求項３に記載の屋根材のバネ式補修材。
【請求項７】
前記挿入端部を、平面視において、山谷形状としたことを特徴とする請求項１〜請求項６の何れか１項に記載の屋根材のバネ式補修材。
【請求項８】
前記金属板から切り抜いた屋根材のバネ式補修材の抜き型を、断面波型としたことを特徴とする請求項１〜請求項７の何れか１項に記載の屋根材のバネ式補修材。
【請求項９】
前記ストッパーの底部に穴を穿設したことを特徴とする請求項２〜請求項６の何れか１項に記載の屋根材のバネ式補修材。
【請求項１０】
請求項１〜請求項９の何れか１項に記載の屋根材のバネ式補修材の折り曲げ前の抜き型を、一枚の金属板から、先端部を向き合せ、上下左右に密に打ち抜き、前記挿入部を折り曲げて成型したことを特徴とする屋根材のバネ式補修材の製造方法。
【請求項１１】
上下屋根材の重なり部に挿入され、前記重なり部に常時空間を形成し、屋根材間に侵入した雨水を排水させる屋根材のバネ式縁切り材であって、
金属板である本体と、
前記本体の挿入端部に連設され底面側に折り返されたバネ部と、
前記本体の反挿入端部に連設され上方に折り返され上屋根材の下端部に引っ掛り挿入位置の位置決めをするストッパーと、
からなることを特徴とする屋根材のバネ式縁切り材。
【発明の詳細な説明】
【技術分野】
【０００１】
本発明は、屋根に積層固定される板状の屋根材のひび割れを補修するための屋根材の補修材、及び縁切り材に関する。
【背景技術】
【０００２】
住宅屋根には、図９に示すような住宅用化粧スレートとも呼ばれる板状の屋根材７が用いられている。最も使用されている屋根材の形状は、概ね、縦長さ４１０ｍｍ（最長部）、横長さ９１０ｍｍ、縦長さ３３０ｍｍのところに角がある略５角形で、厚さ約５ｍｍである。板状の屋根材には、当然に平板瓦も含まれる。
【０００３】
また、屋根材７は、屋根の軒側から棟に向け積層され、野路板に積層固定される。屋根材７の野路板への固定は、メーカーにより異なるが、多くの屋根材には底辺から２２０ｍｍ〜２４０ｍｍの位置に複数のクギ穴７ｂが穿設され、そのクギ穴７ｂに釘８を打ち込み、屋根の桟に屋根材７は固定される。図中の斜めの線エリアが外部に露出する部分で、約１８０ｍｍとされている。従って、クギ穴７ｂは、露出する部分の上端から４０〜６０ｍｍの位置に穿設されている。
【０００４】
従来は、多くの屋根材の組成中にアスベストが混入されていた。現在では屋根材にアスベストを混入することは禁止されているが、数年前に施工された屋根にはアスベスト入り屋根材が使用され、現在でも屋根に葺かれたまま多数存在する。
【０００５】
アスベストの健康問題から、現在葺かれているものと同一の製品はすでに製造中止になっており、屋根材が経年劣化でひび割れなどを発生した場合でも交換ができないことが多い。また、他の屋根材に交換するにしても、屋根材に混入されたアスベストの健康問題から、屋根材の交換には特別な処理が必要で、多大な費用がかかるのが現状である。
【０００６】
従って、ひび割れは充填剤などで補修されていることが多い。ところが、充填剤による補修では、充填剤に粘度があり充填剤がひび割れ全域に完全に浸透せず、雨水を通してしまうことがあった。また、時間の経過とともに、充填剤が劣化し、再びひび割れが発生することも多く、ひび割れに雨水が浸透し、屋根を腐蝕させてしまうことがあった。
【０００７】
他方、スレートの屋根材７は、設置から１０年程度でメンテナンス（塗装）が必要であるとされている。その際、スレートの屋根材を割ってしまうことがある。その補修も上記理由から問題であった。そのため、発明者は、以前に屋根材の補修材を開発している（特許文献１、２）。
【０００８】
しかしながら、より簡易に施工でき、かつより低コストで、耐久性、屋根材の劣化（屋根材の反りによる隙間の拡大）に追随した補修材が求められている。
【０００９】
また、スレートの屋根材７の塗装後には、上下屋根材７、７の重なり部の通気性を確保することから、塗装の被膜で塞がれた縁を切り作業を行っていた。その縁切り作業を容易にするため、屋根材の縁切り材を開発している（特許文献３〜６）。
【００１０】
しかしながら、それらは、ひび割れの補修機能を有しない上、屋根材の劣化（屋根材の反りによる上下屋根材７、７間の隙間の拡大）に十分に追随できなかった。
【先行技術文献】
【特許文献】
【００１１】
【特許文献１】特開２０１２−０５７４２１号公報
【特許文献２】特開２０１２−０５７４２２号公報
【特許文献３】特開２００５−１２０８０１号公報
【特許文献４】特開２００６−１２５１７３号公報
【特許文献５】特開２００７−０５１５２１号公報
【特許文献６】特開２０１０−０２４７５９号公報
【発明の概要】
【発明が解決しようとする課題】
【００１２】
そこで、本発明は、屋根材、特に板状の屋根材に効果的かつ低コストの補修材及び縁切り材を提供することを目的とする。
【課題を解決するための手段】
【００１３】
本発明は、上記の課題を解決するために、
（１）
金属板を折り曲げてなり、屋根に積層固定された板状の屋根材のひび割れ箇所の下部に挿入され上下にバネ付勢を発揮する挿入部を備えることを特徴とする屋根材のバネ式補修材の構成とした。
（２）
前記挿入部の反挿入端部に立設し、上屋根材の下端部に引っ掛り挿入位置の位置決めをするストッパーを備えることを特徴とする（１）に記載の屋根材のバネ式補修材の構成とした。
（３）
屋根に積層固定された板状の屋根材のひび割れ箇所の下部に挿入される金属板の本体と、
前記本体の挿入端部に連設され底面側に折り返されたバネ部と、
前記本体の反挿入端部に連設され上方に折り返され上屋根材の下端部に引っ掛り挿入位置の位置決めをするストッパーと、
からなることを特徴とする屋根材のバネ式補修材の構成とした。
（４）
前記バネ部の先端部が、底面視で中心部が凸の三角形状であることを特徴とする（３）に記載の屋根材のバネ式補修材の構成とした。
（５）
前記バネ部の折り曲げ前に、折り曲げ位置に三角形の切れ込みを穿設し、前記バネ部を折り曲げることで、前記本体に平面視三角形状の挿入端部を備えることを特徴とする請求項４に記載の屋根材のバネ式補修材の構成とした。
（６）
前記バネ部を、
前記本体の左右に連設された帯状の左右バネ部としたことを特徴とする（３）に記載の屋根材のバネ式補修材の構成とした。
（７）
前記挿入端部を、平面視において、山谷形状としたことを特徴とする（１）〜（６）の何れかに記載の屋根材のバネ式補修材の構成とした。
（８）
前記金属板から切り抜いた屋根材のバネ式補修材の抜き型を、断面波型としたことを特徴とする（１）〜（７）の何れかに記載の屋根材のバネ式補修材の構成とした。
（９）
前記ストッパーの底部に穴を穿設したことを特徴とする（２）〜（６）の何れかに記載の屋根材のバネ式補修材の構成とした。
（１０）
（１）〜（９）の何れかに記載の屋根材のバネ式補修材の折り曲げ前の抜き型を、一枚の金属板から、先端部を向き合せ、上下左右に密に打ち抜き、前記挿入部を折り曲げて成型したことを特徴とする屋根材のバネ式補修材の製造方法の構成とした。
（１１）
上下屋根材の重なり部に挿入され、前記重なり部に常時空間を形成し、屋根材間に侵入した雨水を排水させる屋根材のバネ式縁切り材であって、
金属板である本体と、
前記本体の挿入端部に連設され底面側に折り返されたバネ部と、
前記本体の反挿入端部に連設され上方に折り返され上屋根材の下端部に引っ掛り挿入位置の位置決めをするストッパーと、
からなることを特徴とする屋根材のバネ式縁切り材の構成とした。
【発明の効果】
【００１４】
本発明は、上記構成であるので、以下の効果を発揮する。金属板を折り曲げたバネ部を形成することで、低コストで耐久性があり、さらに屋根の劣化（屋根材の反りによる上下屋根材間の隙間の拡大）に追随して長期間安定的に上下屋根材の間に留まり、ひび割れを補修するととともに、塗装後の縁切り作用を発揮する。
【図面の簡単な説明】
【００１５】
【図１】本発明の一例である屋根材のバネ式補修材（実施例１）の説明図で、図１（Ａ）は一部透視斜視図、図１（Ｂ）は右側面図である。
【図２】実施例１の屋根材のバネ式補修材の製造方法の説明図である。図２（Ａ）は、金属板における屋根材のバネ式補修材の打ち抜き位置の説明図、図２（Ｂ）が打ち抜かれた屋根材のバネ式補修材の抜き型である。
【図３】実施例１の使用状態の説明図である。
【図４】本発明の他の屋根材のバネ式補修材（実施例２）の説明図で、図４（Ａ）は一部透視斜視図、図４（Ｂ）は右側面図、図４（Ｃ）は図４（Ａ）のＡ−Ａ‘断面図である。
【図５】実施例２の屋根材のバネ式補修材の製造方法の説明図である。図５（Ａ）は、金属板における屋根材のバネ式補修材の打ち抜き位置の説明図、図５（Ｂ）が打ち抜かれた屋根材のバネ式補修材の抜き型である。
【図６】本発明の他の屋根材のバネ式補修材（実施例３）の説明図で、図６（Ａ）は一部透視斜視図、図６（Ｂ）は右側面図である。
【図７】実施例３の屋根材のバネ式補修材の製造方法の説明図である。図７（Ａ）は、金属板における屋根材のバネ式補修材の打ち抜き位置の説明図、図７（Ｂ）が打ち抜かれた屋根材のバネ式補修材の抜き型である。図７（Ｃ）は（Ｂ）と異なる位置で折り曲げてバネ部を形成する場合の抜き型である。
【図８】図５の打ち抜かれた屋根材のバネ式補修材の変形抜き型である。
【図９】スレート屋根材の説明図である。
【発明を実施するための形態】
【００１６】
以下、添付図面に基づき、本発明について詳細に説明する。なお、本発明は下記実施例に限定されるものではない。
【実施例１】
【００１７】
図１〜図３に示すように、本発明である屋根材のバネ式補修材１は、金属板６から打ち抜いた抜き型６ａを折り曲げてなり、挿入部と、ストッパー４とから構成される。挿入部は、本体２とバネ部３からなり、屋根に積層固定された板状の屋根材７のひび割れ７ａ箇所の下部に挿入され、上下にバネ付勢を発揮する。
【００１８】
本体２は、屋根に積層固定された板状の屋根材７のひび割れ７ａ箇所の下部に挿入される金属板である。金属板としては、腐蝕耐性があるステンレスが好適である。厚さ０．３ｍｍ〜１ｍｍ程度が好ましく、より好ましくは０．３ｍｍ〜０．５ｍｍの範囲である。
【００１９】
幅（Ｗ）はひび割れ７ａの幅に応じて適宜選択すればよい。本体の長さ（Ｌ１）は、屋根材７の図９に示す露出長以上、即ち１８０ｍｍ以上あることが好ましい。そして、屋根材７を固定する釘８を考慮すると、最長２４０ｍｍ程度までとすることが好ましい。また、釘８の位置に掛からなければ、２４０ｍｍを超えても構わない。１８０ｍｍより長く２２０ｍｍ未満とすれば、どのメーカーであっても、また釘８を考慮することなく、汎用性があり、極めて好ましい。バネ部の長さ（Ｌ２）は、所望のバネ作用を発揮する長さで有れば特に限定されない。
【００２０】
バネ部３は、本体２とともに金属板６から打ち抜かれ、本体２の挿入端部２ａに連設され、本体２の底面側に折り返されてなる。本実施例では、挿入端部２ａが折返部２ｃとなる。本体２とバネ部３とでなす角（θ）は、１５℃〜３０°程度が、本体２及びバネ部３を屋根材７間に挿入し易くかつ屋根材７の劣化に伴う屋根材７間の隙間の拡大にバネ作用で追随するとともに、屋根材７間に安定して係止するために好ましい。
【００２１】
ここでのバネ部３の先端部３ａは、底面視で中心部が凸の三角形状であるため、バネ作用を得て、下屋根材７の表面に引っ掛かり、屋根材のバネ式補修材１が屋根材７の間からの抜け防止効果が高い。
【００２２】
ストッパー４は、前記挿入部（本体２）の反挿入端部２ｂに立設した上屋根材７の下端部７ｃに引っ掛り挿入位置の位置決めをする。ストッパー４の底部には、穴５が穿設され、本体２と屋根材７との間の雨水の排水を助ける。穴５は、ここでは、ストッパー４部分に半円が掛かり、本体２部分にも半円が掛かり、排水効果を一層高める。  
【００２３】
なお、ひび割れ７ａの箇所に使用しない場合でも、屋根材７の塗装時の縁切り材としても使用できる。単なる縁切り材の場合には、横幅５〜２０ｍｍ、縦３５±１０ｍｍ程度の大きさでよい。ストッパー４は、位置決めする他、挿入時の押し部ともなる。高さは、屋根材の厚み程度とすればよい。
【００２４】
縁切り材としての使用方法は、従来の縁切り材（特許文献３−６）と同様で、一枚の屋根材７において、２〜３個を上下屋根材７、７間に挿入すればよい。２個挿入する場合には、屋根材７の両端から１５ｃｍ程度の位置がよい。以下の実施例においても同じ。
【００２５】
図２に示すように、本発明である屋根材のバネ式補修材１は、一枚のステンレスの金属板６（Ａ）に先端部６ｃを向かい合わせて、互い違いに配置（図２（Ａ）上段、下段）して、破線の切断線６ｇ部分で打ち抜き、抜き型６ａを取り（Ｂ）、抜き型６ａを折り曲げ（点線の折返線６ｅ、６ｆ）て、成型する。このように製造することで、金属板６を無駄なく使用することができ、低コストになる。
【００２６】
本体部６ｂが本体２になり、本体２より先の先端部６ｃを折返線６ｅで底面側に折り返すことでバネ部３となり、本体２より後端のストッパー部６ｄを折返線６ｆで平面側に折り返すことでストッパー４になる。穴位置５ａを円形に打ち抜くことで穴５ｂになる。そして、ストッパー４を折り曲げ形成することで、ストッパー４底部の穴５になる。
【００２７】
このようにしてなる屋根材のバネ式補修材１は、図３に示すように、上屋根材７のひび割れ７ａ箇所の下で、上下屋根材７、７の間に本体２とバネ部３を、挿入端部２ａを先頭に本体２の反挿入端部２ｂに立設したストッパー４が屋根材７の下端部７ｃに当接するまで挿入することで、ひび割れ７ａ箇所の補修ができる。挿入端部２ａは、屋根材７のクギ穴７ｂの位置で打ち込まれている釘８の手前まで挿入される。
【００２８】
なお、金属板６から切り抜いた屋根材のバネ式補修材の抜き型に、折り曲げ前に、断面波型にプレスした後、屋根材のバネ式補修材を折り曲げ、成型することで、屋根材７と屋根材のバネ式補修材との間に溝が形成され、排水性がより高くなる。
【実施例２】
【００２９】
図４、５に示すように、本発明の他の実施形態である屋根材のバネ式補修材１１は、金属板１６から打ち抜いた抜き型１６ａを折り曲げてなり、本体１２と、バネ部１３と、本体１２の反挿入端部１２ｂから上方に立設したストッパー１４とから構成される。
【００３０】
実施例１において、ストッパー４の穴５を備えず、バネ部３に折り曲げ前にＶ字状の切れ込み１６ｉを設け、バネ部１３を折り曲げて形成する。その結果、図４に示すように、挿入方向に凸の三角形状の挿入端部が形成されるとともに、図４（Ｃ）に示すようにバネ部１３に三角形状の貫通孔１２ｄが穿設される。本体１２とバネ部１３の折返部１２ｃは、両端に一部形成される。その他は、実施例１と同様である。符号が異なっても、名称が同じ構成については、同じ作用、効果を奏するため、説明を省略する。
【００３１】
このようにしてなる屋根材のバネ式補修材１１は、三角形状の挿入端部１２ａが、上下屋根材７、７の間への挿入のガイドとなり、挿入がより容易である。実施例１同様に、バネ部１３の先端部１３ａは、上下屋根材７、７間に挿入されると下屋根材７に係止し、屋根材のバネ式補修材１１の脱落を防止する。
【００３２】
図５に示すように、本発明である屋根材のバネ式補修材１１は、一枚のステンレスの金属板１６（Ａ）に先端部１６ｃを向かい合わせて、互い違いに配置（図５（Ａ）上段、下段）して、破線の切断線１６ｇ部分で打ち抜き、抜き型１６ａを取り（Ｂ）、抜き型１６ａを折り曲げ（点線の折返線１６ｅ、１６ｆ）て、成型する。このように製造することで、金属板１６を無駄なく使用することができ、低コストになる。
【００３３】
本体部１６ｂが本体１２になり、本体１２より先の先端部１６ｃを折返線１６ｅで底面側に折り返すことでバネ部１３、三角形状の挿入端部１６ｈが挿入端部１２ａとなり、本体１２より後端のストッパー部１６ｄを折返線１６ｆで平面側に折り返すことでストッパー１４になる。
【実施例３】
【００３４】
図６、７に示すように、本発明の他の実施形態である屋根材のバネ式補修材２１は、金属板２６から打ち抜いた抜き型２６ａ（図６（Ｂ）（Ｃ））を折り曲げてなり、本体２２と、バネ部２３と、本体２２の反挿入端部２２ｂから上方に立設したストッパー１４とから構成される。
【００３５】
バネ部２３は、本体２２の左右に連設された帯状の左右バネ部２３ａ、２３ｂとした。本体２２とバネ部２３は、左右折返部２２ｃ、２２ｄは、両端に一部形成される。挿入端部２２ａは、直線状となる。
【００３６】
このようにしてなる屋根材のバネ式補修材２１は、バネ部２３と下屋根材７との接触面積が小さく、かつバネ部１３周辺に排水路が形成され、雨水の流下を妨げず、極的に排出し、雨水の滞留時間を短くし、滞留量を少なくすることができる。
【００３７】
実施例１同様に、バネ部２３の先端部２３ｃは、上下屋根材７、７間に挿入されると下屋根材７に係止し、屋根材のバネ式補修材２１の脱落を防止する。
【００３８】
図７に示すように、本発明である屋根材のバネ式補修材２１は、一枚のステンレスの金属板２６（Ａ）に帯状部２６ｃを向かい合わせて、互い違いに配置（図７（Ａ）上段、下段）して、破線の切断線２６ｇ部分で打ち抜き、抜き型２６ａを取り（Ｂ）（Ｃ）、抜き型２６ａを折り曲げ（点線の折返線２６ｅ、２６ｆ、２６ｉ）て、成型する。このように製造することで、金属板２６を無駄なく使用することができ、低コストになる。
【００３９】
本体部２６ｂが本体２２になり、本体２２より先の帯状部２６ｃを折返線２６ｅ（Ａ）（Ｂ）、折返線２６ｉ（Ｃ）で底面側に折り返すことでバネ部２３、本体２２より後端のストッパー部２６ｄを折返線２６ｆで平面側に折り返すことでストッパー１４になる。挿入端部２６ｈが、挿入端部２２ａになる。
【実施例４】
【００４０】
図８に示すように、本発明である屋根材のバネ式補修材１１の変形の抜き型１６ｋは、金属板１６の切れ込み１６ｎが、複数の山１６ｐ、谷１６ｑを備え、挿入端部１６ｍがギザギザ形状で、折り曲げ、屋根材のバネ式補修材とし、屋根材７、７間に挿入されたとき、谷１６ｑに釘８が位置し、左右のズレを防止し、挿入位置が長期にわたり一層安定する。
【符号の説明】
【００４１】
１      屋根材のバネ式補修材
２      本体
２ａ    挿入端部
２ｂ    反挿入端部
２ｃ    折返部
３      バネ部
３ａ    先端部
４      ストッパー
５      穴
５ａ    穴位置
５ｂ    穴
６      金属板
６ａ    抜き型
６ｂ    本体部
６ｃ    先端部
６ｄ    ストッパー部
６ｅ    折返線
６ｆ    折返線
６ｇ    切断線
７      屋根材
７ａ    ひび割れ
７ｂ    クギ穴
７ｃ    下端部
８      釘
１１    屋根材のバネ式補修材
１２    本体
１２ａ  挿入端部
１２ｂ  反挿入端部
１２ｃ  折返部
１２ｄ  貫通孔
１３    バネ部
１３ａ  先端部
１４    ストッパー
１６    金属板
１６ａ  抜き型
１６ｂ  本体部
１６ｃ  先端部
１６ｄ  ストッパー部
１６ｅ  折返線
１６ｆ  折返線
１６ｇ  切断線
１６ｈ  挿入端部
１６ｉ  切れ込み
１６ｋ  抜き型
１６ｍ  挿入端部
１６ｎ  切れ込み
１６ｐ  山
１６ｑ  谷
２１    屋根材のバネ式補修材
２２    本体
２２ａ  挿入端部
２２ｂ  反挿入端部
２２ｃ  左折返部
２２ｄ  右折返部
２３    バネ部
２３ａ  左バネ
２３ｂ  右バネ
２３ｃ  先端部  
２６    金属板
２６ａ  抜き型
２６ｂ  本体部
２６ｃ  帯状部
２６ｄ  ストッパー部
２６ｅ  折返線
２６ｆ  折返線
２６ｇ  切断線
２６ｈ  挿入端部
２６ｉ  折返線
【図１】
2015132064.tif 000003
【図２】
2015132064.tif 000004
【図３】
2015132064.tif 000005
【図４】
2015132064.tif 000006
【図５】
2015132064.tif 000007
【図６】
2015132064.tif 000008
【図７】
2015132064.tif 000009
【図８】
2015132064.tif 000010
【図９】
2015132064.tif 000011